(57)【特許請求の範囲】
【請求項１】
チャイルドシートの取付け具となる線状のロアアンカレッジが、ブラケットを介して乗物本体上に設けられたベースフレームに固定された乗物用シートであって、
前記ロアアンカレッジの一端と他端とが、それぞれ、前記ブラケットに対して、前後方向に交差する方向に差し込まれる差込み式の結合構造により前後方向に挟み込み状に当てられた状態、又は前後方向に差し込まれるねじの螺合により結合された状態に組み付けられる乗物用シート。
【請求項２】
請求項１に記載の乗物用シートであって、
前記ロアアンカレッジが、折れ曲がり形状のワイヤから成り、前記一端が前記ねじの螺合により前記ブラケットに結合され、前記他端が前記差込み式の結合構造により前記ブラケットに差し込まれて前記一端を軸とする回転が規制された状態として前記ブラケットに組み付けられる乗物用シート。
【発明の詳細な説明】
【技術分野】
【０００１】
本発明は、乗物用シートに関する。詳しくは、チャイルドシートの取付け具となるロアアンカレッジが、ブラケットを介して乗物本体上に設けられたベースフレームに固定された乗物用シートに関する。
【背景技術】
【０００２】
従来、車両用シートにおいて、ＩＳＯＦＩＸタイプのチャイルドシートの保持に使用されるワイヤ状のロアアンカレッジが、薄板状のブラケットを介してシートクッションの両サイドフレーム間に架橋されたパイプ材に取り付けられた構成が知られている（特許文献１）。具体的には、上記ロアアンカレッジ、ブラケット及びパイプ材は、それぞれ鉄製となっており、それぞれのあてがわれた部位同士が互いに溶接により強固に一体的に結合された構成とされている。
【先行技術文献】
【特許文献】
【０００３】
【特許文献１】特開２０１４−１５１６６０号公報
【発明の概要】
【発明が解決しようとする課題】
【０００４】
しかし、上記従来技術では、ワイヤ状のロアアンカレッジが薄板状のブラケットに溶接される構成であるため、溶接時の入熱の影響により溶け落ち等の不具合を生じやすい。本発明は、上記問題を解決するものとして創案されたものであって、本発明が解決しようとする課題は、ロアアンカレッジをベースフレームに対して適切に強度を持たせた状態に組み付けられるようにすることにある。
【課題を解決するための手段】
【０００５】
上記課題を解決するために、本発明の乗物用シートは次の手段をとる。
【０００６】
第１の発明は、チャイルドシートの取付け具となるロアアンカレッジが、ブラケットを介して乗物本体上に設けられたベースフレームに固定された乗物用シートであって、ロアアンカレッジが、ブラケットに対して、互いの形状を前後方向に当接させた状態として一体的に組み付けられているものである。
【０００７】
この第１の発明によれば、ロアアンカレッジをブラケットに対して前後方向に当接させて支持させた状態に組み付けることができる。したがって、ロアアンカレッジをベースフレームに対して適切に強度を持たせた状態に組み付けることができる。
【０００８】
第２の発明は、上述した第１の発明において、次の構成とされているものである。ロアアンカレッジが、ブラケットに対して、差込み式の結合構造により前後方向に当接した状態として一体的に組み付けられている。
【０００９】
この第２の発明によれば、ロアアンカレッジをブラケットに対して簡便に適切な強度を持たせた状態に組み付けることができる。
【００１０】
第３の発明は、上述した第２の発明において、次の構成とされているものである。差込み式の結合構造は、ロアアンカレッジの端部がブラケットに差し込まれることで差込み方向とは反対方向への引き抜き移動が規制された状態となってブラケットに前後方向に当接した状態として一体的に組み付けられる構成とされたものとなっている。
【００１１】
この第３の発明によれば、別体の締結部品を用いることなく、ロアアンカレッジを直接、ブラケットに対して簡便に適切な強度を持たせた状態に組み付けることができる。
【００１２】
第４の発明は、上述した第３の発明において、次の構成とされているものである。差込み式の結合構造は、ロアアンカレッジの端部がブラケットに対してねじの螺合により互いの形状を前後方向に当接させた状態として結合される構成とされたものとなっている。
【００１３】
この第４の発明によれば、ロアアンカレッジをブラケットに対して手作業でも組める簡便な構成により適切な強度を持たせた状態に組み付けることができる。
【００１４】
第５の発明は、上述した第４の発明において、次の構成とされているものである。ロアアンカレッジが、折れ曲がったワイヤにより形成され、その少なくとも一端がねじの螺合によりブラケットに締結されると共に、他端がブラケットに差し込まれることで一端を軸とした回転が規制された状態としてブラケットに一体的に組み付けられている。
【００１５】
この第５の発明によれば、ロアアンカレッジの少なくとも一端がねじの螺合によりブラケットに締結された状態として回り止めされる構成となるため、このような簡便な構成によりロアアンカレッジをブラケットに対して適切な強度を持たせた状態に組み付けることができる。
【図面の簡単な説明】
【００１６】
【図１】実施例１の乗物用シートの要部構造を拡大して表した斜視図である。
【図２】図１の分解斜視図である。
【図３】図２を背面側から見た斜視図である。
【図４】図１のIV-IV線断面図である。
【図５】実施例２の乗物用シートの要部構造を拡大して表した斜視図である。
【図６】図５の分解斜視図である。
【図７】図６を背面側から見た斜視図である。
【図８】図５のVIII-VIII線断面図である。
【図９】実施例３の乗物用シートの要部構造を拡大して表した斜視図である。
【図１０】図９からロアアンカレッジを前に外した状態を表した斜視図である。
【図１１】実施例４の乗物用シートの要部構造を拡大して表した斜視図である。
【図１２】図１１の分解斜視図である。
【図１３】実施例５の乗物用シートの要部構造を拡大して表した斜視図である。
【図１４】図１３の分解斜視図である。
【発明を実施するための形態】
【００１７】
以下に、本発明を実施するための形態について、図面を用いて説明する。
【実施例１】
【００１８】
始めに、実施例１のシート１（乗物用シート）の構成について、図１〜図４を用いて説明する。本実施例のシート１は、図１に示すように、自動車の後部側座席として構成されており、着座乗員の背凭れとなるシートバック２と、着座部となるシートクッション３と、を備える構成となっている。上記シートクッション３の後端部には、図示しないＩＳＯＦＩＸタイプのチャイルドシートの保持に使用される左右一対のロアアンカレッジ１０（一方のみ図示）が、シートバック２との間の隙間の奥に露呈する形で設けられている。
【００１９】
なお、上記ＩＳＯＦＩＸタイプの各ロアアンカレッジ１０が上記のようにシートクッション３の後端部においてシートバック２との間の隙間の奥に露呈する形で設けられる構成については、特開２０１４−００４８８１号公報、特開２０１２−１８００４７号公報、特開２０１２−１３１４０４号公報等の文献に開示されたものと同じ一般的な構成となっているため、上記配置についての具体的な説明は省略することとする。
【００２０】
上記各ロアアンカレッジ１０は、シートクッション３の図示しない各サイドフレームの後端部間に一体的に架橋された四角筒状のロアパイプ４Ａに対して、それぞれ、ブラケット２０を介して一体的に固定された構成とされている。ここで、ロアパイプ４Ａが本発明の「ベースフレーム」に相当する。上記ロアパイプ４Ａは、上記のようにシートクッション３の図示しない骨格部間に一体的に架橋されていることで、同シートクッション３の骨格部が車両のフロアパネルＦ上に一体的に固定されるように設けられる構成により、同シートクッション３の骨格部を介してフロアパネルＦに対して一体的に固定された状態として設けられた構成となっている。
【００２１】
上記各ロアアンカレッジ１０は、鉄製となっており、各ブラケット２０とロアパイプ４Ａとは、それぞれアルミニウム合金製となっている。上記各ブラケット２０は、これらと同じ材質から成るロアパイプ４Ａに対して、それぞれ、溶接により強固に一体的に結合された状態とされている（溶接箇所Ｗ）。一方、各ロアアンカレッジ１０は、これらとは異なる材質から成る各ブラケット２０に対して、それぞれ、ねじの螺合構造（差込み式の結合構造）により溶接を用いることなく強固に一体的に結合された状態とされている。
【００２２】
上記結合により、各ロアアンカレッジ１０は、各ブラケット２０を介してロアパイプ４Ａに対して強固に一体的に固定された状態とされている。上記各ロアアンカレッジ１０は、上記のようにロアパイプ４Ａに固定されていることにより、図示しないチャイルドシートに備え付けられた対応する各取付け具をシート前方側から差し込んでこれらに装着したり、装着した各取付け具を車両の衝突発生等に伴う大荷重が入力されても装着状態に保持し続けたりすることのできる高い構造強度を備えた構成とされている。このように、各ロアアンカレッジ１０は、これらとは異なる材質から成る各ブラケット２０に対して、溶接を用いることなく適切な強度を備えた形に結合された状態とされている。
【００２３】
以下、上述した各ロアアンカレッジ１０の各ブラケット２０に対する結合構造について、図１〜図４の各図を用いながら、これらの基本構造と併せて詳しく説明していく。なお、各ロアアンカレッジ１０、各ブラケット２０、及びこれらの結合構造は、左右で互いに同じ構成となっているため、以下では、図示された一方側の構成についてのみ代表して説明することとする。ロアアンカレッジ１０は、図１〜図２に示すように、中実丸棒状の形に形成された１本の鋼線材が平面視略Ｕ字状の形に折り曲げられて形成されている。
【００２４】
上記折り曲げにより、ロアアンカレッジ１０は、そのＵ字状に折り曲げられた中央の繋ぎ部分が、取付部１１として、上述した図示しないチャイルドシートに備え付けられた対応する取付け具がシート前方側から差し込まれて後側にフックが回し込まれて引掛けられた状態として固定される構成とされている。また、上記ロアアンカレッジ１０は、そのＵ字状に折り曲げられた左右両端側のシート後方側へ延びる各部分が、それぞれ脚部１２，１３として、互いに同じ長さを有して対応する各ブラケット２０のシート前方側の端部にねじの螺合構造によって結合される構成とされている。
【００２５】
具体的には、上記ロアアンカレッジ１０の各脚部１２，１３には、それらのシート後方側の端部に、互いに同じ回転方向にねじ切りされた雄ねじ１２Ａ，１３Ａが形成されている。上記各雄ねじ１２Ａ，１３Ａは、各側の脚部１２，１３において同じ長さ位置までねじ切りされて形成されている。そして、上記各脚部１２，１３の各雄ねじ１２Ａ，１３Ａのねじ切りの終端箇所には、それぞれ、各脚部１２，１３の径を部分的に円板状に張り出させるフランジ１２Ｂ，１３Ｂが形成されている。これらフランジ１２Ｂ，１３Ｂは、各脚部１２，１３の雄ねじ１２Ａ，１３Ａを対応する各ブラケット２０のねじ孔２１に螺合する際の最大螺合位置を規制するストッパとして機能するものとなっている。
【００２６】
各ブラケット２０は、それぞれ、上述したロアアンカレッジ１０よりも太径な前後方向に真っ直ぐに延びる中実丸棒状の部材により形成されている。各ブラケット２０は、図２及び図４に示すように、それらのシート前方側の端面部に、それぞれ、軸方向に丸孔状にあけられると共に内周面に雌ねじが切られたねじ孔２１が形成されている。これらねじ孔２１は、上述したロアアンカレッジ１０の各脚部１２，１３に形成された対応する各雄ねじ１２Ａ，１３Ａをそれぞれシート前方側から螺合させることのできる孔形状に形成されており、各雄ねじ１２Ａ，１３Ａよりも軸方向に僅かに長いねじ部長さを有した構成とされている。
【００２７】
上述した各ブラケット２０には、それぞれ、図３に示すように、それらのシート後方側の端面部に、十字ねじ回し（ドライバー）Ｄの先端を嵌め合わせることのできる十字溝２２が形成されている。上記各ブラケット２０は、上述したロアアンカレッジ１０の各脚部１２，１３に対して、次のように個別に螺合されて組み付けられている。先ず、どちらか一方のブラケット２０を、ロアアンカレッジ１０の対応する脚部１２（１３）に対して、そのねじ孔２１を脚部１２（１３）の先端に合わせた状態にセットする。次いで、上記ブラケット２０の十字溝２２に十字ねじ回しＤの先端を嵌め合わせて十字ねじ回しＤを締め付け方向に回転させる。これにより、ブラケット２０のねじ孔２１がロアアンカレッジ１０の対応する脚部１２（１３）の雄ねじ１２Ａ（１３Ａ）に螺合され、図４に示すようにブラケット２０のシート前方側の端面部が上記脚部１２（１３）のフランジ１２Ｂ（１３Ｂ）に押し付けられる位置まで締め付けられることで、ブラケット２０が上記脚部１２（１３）に対して強固に一体的に締結された状態となる。
【００２８】
上記結合により、ブラケット２０が脚部１２（１３）に対してねじの螺合構造によって互いの形状を前後方向に当接させた状態として一体的に組み付けられた状態となる。次に、もう一方のブラケット２０を、ロアアンカレッジ１０の対応するもう一方の脚部１３（１２）に対して同じように十字ねじ回しＤを用いて螺合締結する。これにより、各ブラケット２０がロアアンカレッジ１０の各脚部１２，１３に対してそれぞれ強固に一体的に締結された状態となる。
【００２９】
次に、上記ロアアンカレッジ１０の各側の脚部１２，１３と締結された各ブラケット２０を、上述した四角筒状のロアパイプ４Ａの底面部にあてがえて、これらを互いの当接箇所に沿って溶接して一体的に結合する。これにより、ロアアンカレッジ１０が上記各ブラケット２０を介してロアパイプ４Ａに対して強固に一体的に結合された状態となる。詳しくは、上記ロアアンカレッジ１０は、各ブラケット２０がロアパイプ４Ａに溶接されて一体的に結合されることにより、各ブラケット２０に対してそれぞれのねじの螺合部分が回り止めされて締結を緩めることのない状態として、各ブラケット２０に対して溶接を用いることなく強固に一体的に結合された状態とされる。
【００３０】
上記各ブラケット２０をロアパイプ４Ａの底面部にあてがえるに際しては、各ブラケット２０が前後方向に真っ直ぐに延びる丸棒状の形となっていることから、各ブラケット２０をロアアンカレッジ１０の各脚部１２，１３に螺合締結した時の回転向きがどのような状態となっていたとしても、常にそれらの上面部がロアパイプ４Ａの底面部に対して一定の接触広さであてがわれるようになっている。したがって、各ブラケット２０をロアパイプ４Ａの底面部に対して安定した接触面積を確保して溶接を適切に行うことができる。上記結合により、ロアアンカレッジ１０が各ブラケット２０を介してロアパイプ４Ａからシート前方側にＵ字状に張り出す形となってロアパイプ４Ａにより強く支えられた状態に固定された状態とされる。
【００３１】
以上をまとめると、本実施例のシート１は次のような構成となっている。すなわち、不図示のチャイルドシートの取付け具となるロアアンカレッジ１０が、ブラケット２０を介してフロアパネルＦ（乗物本体）上に設けられたロアパイプ４Ａ（ベースフレーム）に固定されたシート１であって、ロアアンカレッジ１０が、ブラケット２０に対して、互いの形状を前後方向に当接させた状態として一体的に組み付けられた構成となっている。
【００３２】
このような構成となっていることにより、ロアアンカレッジ１０をブラケット２０に対して前後方向に当接させて支持させた状態に組み付けることができる。したがって、ロアアンカレッジ１０をロアパイプ４Ａに対して適切に強度を持たせた状態に組み付けることができる。
【００３３】
詳しくは、上記ロアアンカレッジ１０は、ブラケット２０に対して、差込み式の結合構造により前後方向に当接した状態として一体的に組み付けられている。このような構成となっていることにより、ロアアンカレッジ１０をブラケット２０に対して簡便に適切な強度を持たせた状態に組み付けることができる。
【００３４】
より詳しくは、上記の差込み式の結合構造は、ロアアンカレッジ１０の端部がブラケット２０に差し込まれることで差込み方向とは反対方向への引き抜き移動が規制された状態となってブラケット２０に前後方向に当接した状態として一体的に組み付けられる構成とされている。このような構成となっていることにより、差込ピン等の別体の締結部品を用いることなく、ロアアンカレッジ１０を直接、ブラケット２０に対して簡便に適切な強度を持たせた状態に組み付けることができる。
【００３５】
具体的には、上記の差込み式の結合構造は、ロアアンカレッジ１０の端部がブラケット２０に対してねじの螺合により互いの形状を前後方向に当接させた状態として結合される構成とされている。このような構成となっていることにより、ロアアンカレッジ１０をブラケット２０に対して手作業でも組める簡便な構成により適切な強度を持たせた状態に組み付けることができる。
【００３６】
上記ロアアンカレッジ１０は、折れ曲がったワイヤにより形成され、その両端（少なくとも一端）がねじの螺合によりブラケット２０に差し込まれて締結されることで、双方が相手側を軸とした回転を規制された状態としてブラケット２０に一体的に組み付けられた構成とされている。このような構成となっていることにより、ロアアンカレッジ１０の両端がねじの螺合によりブラケット２０に締結された状態として回り止めされる構成となるため、このような簡便な構成によりロアアンカレッジ１０をブラケット２０に対して適切な強度を持たせた状態に組み付けることができる。
【実施例２】
【００３７】
続いて、実施例２のシート１の構成について、図５〜図８を用いて説明する。本実施例では、図５〜図８に示すように、本発明の「ベースフレーム」に相当するロアパイプ４Ｂが、四角筒状ではなく、円筒状の形に形成されている。また、ロアアンカレッジ１０の各端部に螺合締結される各ブラケット３０が、中実丸棒状ではなく、シート後方側に向かって斜め上方側に形状を増大させていく、側面視略三角形の中実ブロック型形状とされた構成となっている。
【００３８】
上記各ブラケット３０は、実施例１で示した各ブラケット２０の構成と同様に、それらのシート前方側の端面部にロアアンカレッジ１０の各脚部１２，１３の雄ねじ１２Ａ，１３Ａに螺合されるねじ孔３１が形成されていると共に、それらのシート後方側の端面部に十字ねじ回しＤを嵌め合わせることのできる十字溝３２が形成された構成となっている。しかし、各ブラケット３０は、それらの後端側の上面部に、上述した円筒状のロアパイプ４Ｂの外周面に合致可能な円弧面状に凹んだ嵌合面３０Ａが形成された構成となっている。
【００３９】
上記各ブラケット３０は、上述したロアパイプ４Ｂに対して、それらの嵌合面３０Ａがロアパイプ４Ｂの外周面にシート前方側から合致した状態にあてがわれた状態として、互いの当接箇所に沿って溶接されることにより、ロアパイプ４Ｂの外周面に沿って円周方向に広く溶接されて強固に一体的に結合された状態とされている（溶接箇所Ｗ）。詳しくは、上記各ブラケット３０は、それらの嵌合面３０Ａがロアパイプ４Ｂの外周面に対してシート前方側と下方側とからそれぞれ面当接した状態にあてがわれて、ロアパイプ４Ｂの外周面における前端部と下端部とを円周方向に越える９０度以上の領域に亘って外周側から面当接した状態にあてがわれた状態として、互いの当接箇所に沿って円周方向に広く溶接された状態とされている。
【００４０】
上記以外の構成については、実施例１で示した構成と同じとなっているため、これらと同一の符号を付して詳細な説明を省略することとする。
【実施例３】
【００４１】
続いて、実施例３のシート１の構成について、図９〜図１０を用いて説明する。本実施例では、図９〜図１０に示すように、ロアアンカレッジ１０の各端部が組み付けられるブラケット４０が、左右一対ではなく１つの中実ブロック型形状とされた構成となっている。上記ブラケット４０は、実施例２で示した各ブラケット３０のように、その後端側の上面部に、円筒状のロアパイプ４Ｂの外周面に合致可能な嵌合面４０Ａを有した形状とされていて、ロアパイプ４Ｂの外周面に円周方向に広く面当接した状態にあてがわれて溶接された状態とされている（溶接箇所Ｗ）。
【００４２】
上記ブラケット４０は、その前端部の左右２箇所に、シート前方側に向かって張り出す張出部４１が形成された構成となっている。そして、これら張出部４１の互いに対向する内側面部には、丸孔状にあけられた差込孔４１Ａと、各差込孔４１Ａの形成箇所から各張出部４１の内側面部に沿ってシート前方側に真っ直ぐ延びる形に凹んだ嵌合溝４１Ｂと、が形成されている。上記各張出部４１は、互いに左右対称な形に形成された構成となっている。
【００４３】
一方、ロアアンカレッジ１０は、中実丸棒状の鋼線材が平面視略Ｕ字状の形に折り曲げられて形成された左右一対の脚部１２，１３の先端部に、互いに相反する側となる外側に向かって垂直に折り曲げられた掛部１２Ｃ，１３Ｃが形成された構成となっている。また、上記ロアアンカレッジ１０は、上述した各脚部１２，１３を両側から挟み込む形に力を加えることにより、各脚部１２，１３の幅を弾性的に押し窄めることができる構成となっている。
【００４４】
上記ロアアンカレッジ１０は、ブラケット４０に対して次のように組み付けられている。先ず、図１０に示すように、ロアアンカレッジ１０の各脚部１２，１３を両側から挟み込む形に力を加えて弾性的に押し窄めた状態にする。そしてその状態で、ロアアンカレッジ１０の各脚部１２，１３の先端から外側へ折り曲げられた各掛部１２Ｃ，１３Ｃを、ブラケット４０の各張出部４１に形成された各差込孔４１Ａと合う位置まで移動させて、上記押し窄めた状態を解放する。これにより、各掛部１２Ｃ，１３Ｃがロアアンカレッジ１０の復元変形に伴う弾発力の作用によってブラケット４０の各差込孔４１Ａ内に差し込まれると共に、各脚部１２，１３がブラケット４０の各張出部４１の内側面部に形成された上述した嵌合溝４１Ｂ内に嵌まり込んだ状態となる。
【００４５】
上記組み付けにより、ロアアンカレッジ１０は、ブラケット４０に対して、各掛部１２Ｃ，１３Ｃが各差込孔４１Ａ内に差し込まれて前後方向に形状を当接させた状態として強く支持された状態となる。また、ロアアンカレッジ１０は、各脚部１２，１３がブラケット４０の各張出部４１に形成された嵌合溝４１Ｂ内に嵌まり込んだ状態として組み付けられることで、ブラケット４０に対して各掛部１２Ｃ，１３Ｃを軸に高さ方向に首振りする運動も規制された状態として定位置に固定された状態として保持される。
【００４６】
上記構成により、ロアアンカレッジ１０とブラケット４０との間にねじの螺合構造を設けることなく、これらを差し込みのみの簡単な結合構造で強固に一体的に結合することができる。上記以外の構成については、実施例１又は実施例２で示した構成と同じとなっているため、これらと同一の符号を付して詳細な説明を省略することとする。
【実施例４】
【００４７】
続いて、実施例４のシート１の構成について、図１１〜図１２を用いて説明する。本実施例では、図１１〜図１２に示すように、ロアアンカレッジ１０の一方側の端部が中央の取付部１１から折り曲げられることなく真っ直ぐに延長される形で延びるＬ字型形状に形成されている。上記ロアアンカレッジ１０は、その取付部１１から折り曲げられた側の脚部１２の端部には雄ねじ１２Ａがねじ切りされているが、取付部１１から真っ直ぐに延びる側の脚部１３には、ねじ切りが施されていない。
【００４８】
上記ロアアンカレッジ１０は、先ず、上述した雄ねじ１２Ａが切られた側の脚部１２を一方のブラケット３０のねじ孔３１に螺合させて締結し、次いで、ねじ切りのされていないもう一方の脚部１３をもう一方のブラケット３０の内側面部に形成された差込孔３３内に差し込むことで、各ブラケット３０に対して前後方向に形状を当接させた状態として強く支持された状態に組み付けられている。そして、上記ロアアンカレッジ１０は、各ブラケット３０がロアパイプ４Ｂに溶接されて結合されることで、各ブラケット３０を介してロアパイプ４Ｂに強固に一体的に結合された状態とされている（溶接箇所Ｗ）。
【００４９】
詳しくは、上記ロアアンカレッジ１０は、そのねじの螺合によりブラケット３０に締結された側の脚部１２が、もう一方側の脚部１３のブラケット３０に対する差し込みによる回転止めにより、各ブラケット３０に対して締結を緩めることのない状態として強固に一体的に組み付けられている。このような簡便な構成により、ロアアンカレッジ１０を各ブラケット３０に対して適切な強度を持たせた状態に組み付けることができる。上記以外の構成については、実施例１又は実施例２で示した構成と同じとなっているため、これらと同一の符号を付して詳細な説明を省略することとする。
【実施例５】
【００５０】
続いて、実施例５のシート１の構成について、図１３〜図１４を用いて説明する。本実施例では、図１３〜図１４に示すように、ロアアンカレッジ１０の両方側の端部が中央の取付部１１から折り曲げられることなく真っ直ぐに延長される形で延びるストレートな横棒形状に形成されている。そして、上記ロアアンカレッジ１０の各側の脚部１２，１３は、それぞれ、各側のブラケット３０の内側面部に形成された差込孔３３内に差し込まれることで、各ブラケット３０に対して前後方向に形状を当接させた状態として強く支持された状態に組み付けられている。上記ロアアンカレッジ１０は、各ブラケット３０がロアパイプ４Ｂに溶接されて結合されることで、各脚部１２，１３が各ブラケット３０から抜け落ちないように保持された状態とされて、各ブラケット３０を介してロアパイプ４Ｂに強固に一体的に結合された状態とされている（溶接箇所Ｗ）。このような簡便な構成により、ロアアンカレッジ１０を各ブラケット３０に対して適切な強度を持たせた状態に組み付けることができる。上記以外の構成については、実施例１又は実施例２で示した構成と同じとなっているため、これらと同一の符号を付して詳細な説明を省略することとする。
【００５１】
以上、本発明の実施形態を５つの実施例を用いて説明したが、本発明は上記実施例のほか各種の形態で実施することができるものである。例えば、本発明の「乗物用シート」に係る構成は、自動車の後部側座席以外のシートのほか、鉄道等の自動車以外の車両に適用されるシート、又は航空機、船舶等の種々の乗物用に供されるシートにも広く適用することができるものである。
【００５２】
また、上記各実施例では、ロアアンカレッジが鉄製とされ、ブラケットとベースフレーム（ロアパイプ）とがそれぞれアルミニウム合金製とされたものを例示したが、ロアアンカレッジとブラケットとは、互いに同じ材質のものから成る構成であってもよく、互いに異なる材質のものから成る構成であってもよい。具体的には、鉄やアルミニウム合金の他、マグネシウム合金等の様々の金属材を適用することが可能である。また、樹脂材等の金属材以外の材料を適用することも可能である。
【００５３】
また、ロアアンカレッジは、ブラケットに対して、直接の差し込みによって前後方向に当接した状態として抜け止めされた状態に組み付けられるものに限らず、別体の止めピンがロアアンカレッジとブラケットとに跨って差し込まれることで前後方向に当接した状態として抜け止めされた状態に組み付けられるものであってもよい。また、ロアアンカレッジは、ブラケットに対して、圧入による摩擦抵抗により抜け止めされた状態に組み付けられるものであってもよい。
【００５４】
また、ブラケットの取り付けられるベースフレームは、円筒状や四角筒状に限らず、種々の断面形状を持つ中空又は中実状の部材から成るものであってもよい。
【符号の説明】
【００５５】
１      シート（乗物用シート）
２      シートバック
３      シートクッション
４Ａ，４Ｂ  ロアパイプ（ベースフレーム）
１０    ロアアンカレッジ
１１    取付部
１２    脚部
１２Ａ  雄ねじ
１２Ｂ  フランジ
１２Ｃ  掛部
１３    脚部
１３Ａ  雄ねじ
１３Ｂ  フランジ
１３Ｃ  掛部
２０    ブラケット
２１    ねじ孔
２２    十字溝
３０    ブラケット
３０Ａ  嵌合面
３１    ねじ孔
３２    十字溝
３３    差込孔
４０    ブラケット
４０Ａ  嵌合面
４１    張出部
４１Ａ  差込孔
４１Ｂ  嵌合溝
Ｆ      フロアパネル（乗物本体）
Ｄ      十字ねじ回し
Ｗ      溶接箇所
【図１】
0006582574.tif 000002
【図２】
0006582574.tif 000003
【図３】
0006582574.tif 000004
【図４】
0006582574.tif 000005
【図５】
0006582574.tif 000006
【図６】
0006582574.tif 000007
【図７】
0006582574.tif 000008
【図８】
0006582574.tif 000009
【図９】
0006582574.tif 000010
【図１０】
0006582574.tif 000011
【図１１】
0006582574.tif 000012
【図１２】
0006582574.tif 000013
【図１３】
0006582574.tif 000014
【図１４】
0006582574.tif 000015